(57)【特許請求の範囲】
【請求項１】
本体の正面に形成された凹部にフィルタが収納されるとともに、前記本体の正面に対して所定の隙間をあけつつ前記凹部を覆う前パネルが着脱可能に取り付けられ、外部の空気を前記隙間より導入して前記フィルタを通じて吸い込む空気調節機において、
前記前パネルの裏面には、
その上端近傍から前記本体の正面に向けて突出する基部と、
この基部の先端から上方に伸び出す第１の伸出部と、
前記基部の先端から下方に伸び出す第２の伸出部と、から成る左右に一対の突片が設けられ、
前記本体の正面には、
前記前パネルの前記突片を前記第１の伸出部より受け入れる穴部が形成されて、この穴部より受け入れた前記突片の前記第１の伸出部の内面を支える第１の壁部と、
この第１の壁部に形成された前記穴部の下面よりも下がった位置に形成されて、前記穴部より受け入れた前記突片の前記第２の伸出部の下面を支える第２の壁部と、から成る左右に一対の突片受けが設けられていることを特徴とする空気調節機。
【請求項２】
本体の正面に形成された凹部にフィルタが収納されるとともに、前記本体の正面に対して所定の隙間をあけつつ前記凹部を覆う前パネルが着脱可能に取り付けられ、外部の空気を前記隙間より導入して前記フィルタを通じて吸い込む空気調節機において、
前記前パネルの裏面には、
その上端近傍から前記本体の正面に向けて突出する基部と、
この基部の先端から上方に伸び出す第１の伸出部と、
前記基部の先端から下方に伸び出す第２の伸出部と、から成る左右に一対の突片が設けられ、
前記本体の正面には、
前記前パネルの前記突片を前記第１の伸出部より受け入れる穴部が形成されて、この穴部より受け入れた前記突片の前記第１の伸出部の内面を支えるとともに、前記穴部の下面が前記突片の前記基部の下面を支え、前記穴部より受け入れた前記突片の前記第２の伸出部の内面と対向する第１の壁部を備え、下側が開口した、左右に一対の突片受けが設けられていることを特徴とする空気調節機。
【請求項３】
前記突片の前記第２の伸出部における外面側の先端角部が弧状に面取りされていることを特徴とする請求項１又は２に記載の空気調節機。
【請求項４】
前記突片の前記第１の伸出部における外面側の先端角部が弧状に面取りされていることを特徴とする請求項１から３のいずれかに記載の空気調節機。
【発明の詳細な説明】
【技術分野】
【０００１】
本発明は、室内で床置きにされる空気調節機に関する。
【背景技術】
【０００２】
室内の空気には、塵埃や花粉やタバコの煙や呼気等といったように、人体に不快又は有害とされる様々な物質が含まれている。特に近年では、住宅が高気密化されていることから、そのような有害物質が室内に滞り易い。そのため、旧来より部屋の窓を適宜開けて自然換気を行っていた。ところが、大気汚染のひどい地域や、花粉症を患っている人が居る家庭や職場では、自然換気を思いのまま行えないのが実情である。このような状況から、室内の空気を人工的に快適な状態に調節する空気調節機が広く一般に普及してきている。
【０００３】
空気調節機としては、室内の空気を浄化する機能（空気浄化機能）を主体的に持つ空気清浄機が代表的である。一般に、空気清浄機は、本体と、前パネルとより外殻が構成される。本体の正面にはフィルタ収納部が形成されていて、フィルタが収納されたフィルタ収納部を本体の正面から覆い隠すように、本体の正面に対し所定の隙間をあけて前パネルが取り付けられる。このような空気清浄機は、室内の適所で床上に置かれ、外部の空気である室内の空気を本体と前パネルとの隙間より導入してフィルタを通じて吸い込み、吸い込んだ空気を外部である室内へ吹き出す。その際、空気中に含まれる有害物質はフィルタによって捕集されたり、吸着されたり、分解されたりして取り除かれ、これにより空気が浄化される。
【０００４】
ところで、空気清浄機における空気浄化機能はフィルタの性能に大きく依存するわけであるが、そのフィルタの性能は使用に従って低下していく。そのため、一定期間ごとに、フィルタを手入れ（例えば清掃や洗浄）したり、交換したりして、メンテナンスする必要がある。そのフィルタのメンテナンスにあたっては、本体に取り付けられている前パネルを取り外さなければならないことから、従来一般の空気清浄機では、本体に対して前パネルが着脱可能になっている。
【０００５】
具体的には、従来の空気清浄機での前パネルの取付け構造は、以下のようになっている（例えば特許文献１参照）。図１１、図１２に示すように、本体１０の正面には、フィルタ収納部１３のすぐ上から左右に一対のパネル受け１４２が突出している。パネル受け１４２の上面は正面から見て逆台形に窪んでおり、その窪みの底に上方に向けて開口する穴部１４３が形成されている。一方、前パネル５０の裏面には、パネル受け１４２に対応する位置で左右に一対の突片１５１が突出している。突片１５１は、その先端部分が下方に伸び出したフック形状をしている。そして、突片１５１の先端部分をパネル受け１４２の穴部１４３に挿入して係合させれば、前パネル５０は、その自重によって突片１５１をパネル受け１４２に引掛けられた状態で支えられる。
【０００６】
また、前パネル５０の裏面には、その下部の両側から左右に一対の弾性片５５が突出している。弾性片５５は、左右方向に弾性変形を許容し、その先端部分に断面三角形状で内向きの爪部５６を有する。一方、本体１０の正面には、弾性片５５に対応する位置でフィルタ収納部１３の両側から左右に一対の爪受け４６が突出している。爪受け４６には、弾性片５５の爪部５６を受け入れる穴部４７が外向きに開口して形成されている。そして、上記したように突片１５１をパネル受け１４２に引掛けた後、前パネル５０の下部を本体１０に向けて押し付ければ、弾性片５５の爪部５６が爪受け４６の穴部４７に係合する。こうして、前パネル５０が本体１０に固定され、前パネル５０の取付けが完了する。
【０００７】
本体１０から前パネル５０を取り外す際には、前パネル５０の下部を本体１０から手前に引けば、弾性片５５の爪部５６と爪受け４６の穴部４７との係合が外れる。そのまま前パネル５０を持ち上げれば、突片１５１の先端部分とパネル受け１４２の穴部１４３との係合が外れる。これで、前パネル５０が本体１０から取り外される。
【０００８】
なお、空気調節機としては、上記した空気清浄機の他に、室内の空気の温度や湿度等を調整する機能を主体的に持ちながら空気浄化機能も併せ持つ空気調和機がある。空気調和機は、部屋の壁や天井等に設置される方式のものが主流ではあるが、室内の床上に置かれる方式のものもあり、その床置き方式の空気調和機の場合、上記した空気清浄機と同様の構成を含む。つまり、本体の正面にフィルタを収納し、本体の正面に対して所定の隙間をあけて前パネルが着脱可能に取り付けられる。
【特許文献１】特開２００３−９０５７１号公報（段落００２５−００２６、図１、図７、図９）
【発明の開示】
【発明が解決しようとする課題】
【０００９】
ところで、上記した空気調節機は室内で床置きにされるため、人が通りすがりに足等を前パネル５０にぶつけてしまうことが多い。その際、前パネル５０に上方への衝撃が加えられた場合、前パネル５０における弾性片５５の爪部５６と本体１０における爪受け４６の穴部４７との係合が外れてしまい、これと同時に、前パネル５０における突片１５１の先端部分と本体１０におけるパネル受け１４２の穴部１４３との係合も外れてしまうことがある。その結果、本体１０から前パネル５０が不用意に脱落する事態に至る。このような事態は、そもそもフィルタのメンテナンスのために本体１０から前パネル５０を意図的に取り外す状況ではないことから、甚だ不都合である。
【００１０】
そこで本発明は、上記の問題に鑑みてなされたものであり、前パネルの不用意な脱落を防止できる空気調節機を提供することを目的とするものである。
【課題を解決するための手段】
【００１１】
上記目的を達成するため、本発明による空気調節機は、本体の正面に形成された凹部にフィルタが収納されるとともに、前記本体の正面に対して所定の隙間をあけつつ前記凹部を覆う前パネルが着脱可能に取り付けられ、外部の空気を前記隙間より導入して前記フィルタを通じて吸い込む空気調節機において、前記前パネルの裏面には、その上端近傍から前記本体の正面に向けて突出する基部と、この基部の先端から上方に伸び出す第１の伸出部と、から成る左右に一対の突片が設けられている。一方、前記本体の正面には、前記前パネルの前記突片を前記第１の伸出部より受け入れる穴部が形成されて、この穴部より受け入れた前記突片の前記第１の伸出部の内面を支える第１の壁部と、この第１の壁部に形成された前記穴部の下面に沿って形成されて、前記穴部より受け入れた前記突片の前記基部の下面を支える第２の壁部と、から成る左右に一対の突片受けが設けられている。
【００１２】
このような空気調節機では、意図的に、前パネルを持ち上げつつ、前パネルの下部を手前に引いて前パネルを前傾させるように回転させない限り、突片と突片受けとの係合が外れない。従って、人が足等を前パネルにぶつけてしまった場合では、前パネルに対して持上げ及び回転の作用は先ずは起こらないため、本体から前パネルが不用意に脱落することはない。
【発明の効果】
【００１３】
本発明の空気調節機によれば、前パネルの不用意な脱落を防止できる。
【発明を実施するための最良の形態】
【００１４】
以下に、本発明の実施形態について図面を参照しながら詳述する。先ず、本発明の第１実施形態の空気調節機について、空気清浄機を例に挙げて説明する。図１は第１実施形態である空気清浄機についてその構成要素の一部を分解して示す正面視での斜視図、図２はその空気清浄機の背面視での斜視図、図３はその空気清浄機の側面図、図４はその空気清浄機の本体を構成する前シェルの背面図、図５はその空気清浄機で用いるフィルタ押さえ枠の斜視図、図６はその空気清浄機における前パネルの取付け個所の一部を拡大して示す斜視図、図７はその空気清浄機における前パネルの取付け個所の他の一部を拡大して示す斜視図である。図８はその空気清浄機における前パネルの取付け個所の一部を拡大して示す断面図であって、前パネルの取付け手順も示している。
【００１５】
本実施形態での空気清浄機１は、大きくは、本体１０と、前パネル５０とより外殻が構成される。本体１０は、全体として扁平な箱を垂直に立てたような形状であって、正面側の前シェル１１と、背面側の後シェル１２とを組み合わせて成る。前シェル１１の正面にはフィルタ収納部１３が形成され、後シェル１２の上部には把手１５と吹出口１６が形成されている（図２参照）。吹出口１６は縦長のスリットを複数個横に並べた形のものである。
【００１６】
フィルタ収納部１３は、前シェル１１に設けた概ね直方体状の凹部で、本体１０の正面に開口する矩形のフィルタ出し入れ口１４を有する。フィルタ収納部１３の奥には、仕切り壁１７を隔てて、モータ２１とファン２２から成る送風機２０が配置される（図３、図４参照）。ファン２２として、ターボファンを採用しているが、ファンの種類はこれに限定されない。プロペラファンを採用することも、クロスフローファンを採用することも可能である。ターボファンの場合、ファン径に比較して厚さを大きくとり、回転数を下げて騒音レベルを下げる工夫がなされている。モータ２１としては、制御の容易性を重視して直流モータを採用することが好ましい。
【００１７】
仕切り壁１７には、多数の孔からなる通気口２３とファン２２を囲む案内壁２４とが形設されている（図４参照）。案内壁２４は後シェル１２の内面に接合されて、ファンケーシング２５を構成する。ここでの案内壁２４はインボリュート曲線状に形成されており、ファン２２から送り出された空気を上部の吐出部２６の方へと導く。この吐出部２６は後シェル１２の吹出口１６に接合されている。
【００１８】
フィルタ収納部１３に収納されるフィルタユニット３０は、脱臭フィルタ３１と集塵フィルタ３２とが順に重ね合わされて構成される。ここでの脱臭フィルタ３１は、長方形の枠にポリエステル製の不織布を取り付け、その上に活性炭を均一に分散配置し、その上から更にポリエステル製の不織布をかぶせたものである。脱臭フィルタ３１は空気中の臭い成分であるアセトアルデヒドやアンモニアや酢酸等を吸着する役割を果たす。また、ここでの集塵フィルタ３２は、いわゆるＨＥＰＡ（High Efficiency Particulate Air）フィルタであって、ポリエステル／ビニロン系不織布からなる骨材に電石加工したメルトブロー不織布（商品名「トレミクロン」：東レ株式会社製）を合わせて濾材とし、これを折り畳んだ上、その上下面にハイドロキシアパタイト加工した不織布からなる抗菌シートを重ねて熱圧着し、ホットメルト付き不織布からなる枠を溶着したものである。集塵フィルタ３２は微細な塵埃を捕集する役割を果たす。
【００１９】
フィルタ収納部１３の奥の仕切り壁１７には、その周縁部に、集塵フィルタ３２を受けるポリウレタン等のクッション（不図示）が設けられている。フィルタ収納部１３へのフィルタユニット３０の収納に際しては、そのクッションに集塵フィルタ３２をあてがい、その上に脱臭フィルタ３１を重ねた後、フィルタ出し入れ口１４にフィルタ押さえ枠３３を装着する。このフィルタ押さえ枠３３によって、フィルタ収納部１３からフィルタユニット３０が脱落するのが防止される。
【００２０】
フィルタ押さえ枠３３は、図５に示すように、概ね矩形の形状をしており、多数の矩形の通気孔３４がマトリクス状に形成されている。フィルタ押さえ枠３３の上縁には左右に一対の突起３５が形設され、下縁には同じく左右に一対の突起３６が形成されている。上縁の突起３５が、フィルタ出し入れ口１４の内面上部に形成された穴４０（図６参照）に挿入された後、フィルタ押さえ枠３３全体を弾性的に正面側に湾曲させた状態で、下縁の突起３６が、フィルタ出し入れ口１４の内面下部に形成された穴４１（図７参照）に挿入される。フィルタ押さえ枠３３全体の弾性的な湾曲を解くと、上縁の突起３５と上部の穴４０とが係合しつつ、下縁の突起３６と下部の穴４１とが係合した状態に維持され、これによりフィルタ押さえ枠３３がフィルタ出し入れ口１４に装着される。
【００２１】
前パネル５０は、正面視での形状がフィルタ収納部１３のフィルタ出し入れ口１４と相似の矩形で、フィルタ出し入れ口１４よりも寸法的に大きいものであって、本体１０を構成する前シェル１１の正面に対し所定の隙間をあけて取り付けられ、フィルタ出し入れ口１４を完全に覆い隠す。前シェル１１の正面と前パネル５０の裏面との隙間により、空気導入口１８が形成される。前パネル５０を上から見ると、その中央が外向きにやや突出した湾曲形状をしている。
【００２２】
ここで、本実施形態における本体１０に対しての前パネル５０の取付け構造は、以下のようになっている。先ず、図１、図６、図８に示すように、前パネル５０の裏面には、その上端近傍から左右に一対の突片５１が突出している。この突片５１は、前シェル１１の正面に向けて突出する基部５２と、この基部５２の先端から上方に伸び出す第１の伸出部５３とより構成される。つまり、本実施形態での突片５１は、その先端部分が上方に伸び出したフック形状をしている。基部５２は、その下側の先端角部が弧状に大きく面取りされている。第１の伸出部５３は、その外面側（前シェル１１に向く側）の先端角部が弧状に面取りされている。
【００２３】
一方、前シェル１１の正面には、突片５１に対応する位置でフィルタ収納部１３のすぐ上から左右に一対の突片受け４２が突出している。突片受け４２は、内部空間を有する箱状のものであって、前パネル５０に対向する壁部（以下、「第１の壁部」と記すことがある）４３の下部には、矩形の穴部４４が形成されている。その穴部４４の下面に沿って、下側の壁部（以下、「第２の壁部」と記すことがある）４５が配置されている。
【００２４】
また、図１、図７に示すように、前パネル５０の裏面には、従来の前パネルの取付け構造と同じく、その下部の両側から左右に一対の弾性片５５が突出している。一方、前シェル１１の正面には、弾性片５５に対応する位置で左右に一対の爪受け４６が突出している。
【００２５】
このような構成のもと、図８（ａ）に示すように、前パネル５０を前シェル１１（本体１０）に向けて前傾させた状態で、突片受け４２の第１の壁部４３に形成された穴部４４に、突片５１の第１の伸出部５３の先端部分を挿入する。そのまま、図８（ｂ）に示すように、前パネル５０の前傾姿勢を戻すように前パネル５０を押し上げながら回転させて、突片受け４２の穴部４４に突片５１を第１の伸出部５３より挿入していく。図８（ｃ）に示すように、前パネル５０が前シェル１１の正面と対向する状態まで姿勢を戻されると、突片受け４２の穴部４４に突片５１の基部５２が挿通しつつ、突片受け４２内に突片５１の第１の伸出部５３が完全に収容された格好になる。
【００２６】
そして、前パネル５０への押上げ力を解けば、図８（ｄ）に示すように、前パネル５０は、その自重によって、突片５１の第１の伸出部５３の内面（前シェル１１に向く面とは反対の面）が突片受け４２の第１の壁部４３に接触して支えられるとともに、突片５１の基部５２の下面が突片受け４２の第２の壁部４５に接触して支えられた状態で係合する。ここでは、突片５１の基部５２の下面が突片受け４２の穴部４４の下面によっても支えられる。その後、前パネル５０の下部を本体１０に向けて押し付ければ、弾性片５５の爪部５６が爪受け４６の穴部４７に係合する。こうして、前パネル５０が本体１０に固定され、前パネル５０の取付けが完了する。
【００２７】
本体１０から前パネル５０を取り外す際には、上記の取付け動作とは逆の動作で、前パネル５０の下部を前シェル１１から手前に引けば、弾性片５５の爪部５６と爪受け４６の穴部４７との係合が外れる。そして、前パネル５０を持ち上げつつ、そのまま前パネル５０の下部を手前に引いて前パネル５０を前傾させるように回転させれば、突片５１と突片受け４２との係合が外れ、突片５１が突片受け４２の穴部４４から抜ける。これで、前パネル５０が本体１０から取り外される。
【００２８】
このような前パネル５０の着脱に際しては、前パネル５０を回転させるわけであるが、突片５１の基部５２における下側の先端角部が弧状に大きく面取りされているため、その回転の際、突片受け４２の穴部４４の下面や第２の壁部４５に沿って円滑に回転できる。また、突片５１の第１の伸出部５３における外面側の先端角部が弧状に面取りされているため、その回転の際、前シェル１１の正面に沿って円滑に回転できる。
【００２９】
ところで、図示はしないが、本体１０の正面上部にはリモートコントローラ６０からの入力信号を受ける受光部と、手動で運転設定を行うための操作キー、運転状態を表示する表示ランプ等が配置されている。
【００３０】
続いて、このような空気清浄機１の動作を説明する。フィルタユニット３０をセットした状態で空気清浄機１を運転すると、モータ２１によりファン２２が回転し、前パネル５０と前シェル１１との間の空気導入口１８から外部の空気である室内の空気が導入される。導入された空気は、フィルタ押さえ枠３３の通気孔３４を通じてフィルタユニット３０に達し、脱臭フィルタ３１でアセトアルデヒド、アンモニア、酢酸等の臭い成分を吸着された後、集塵フィルタ３２で細かい塵埃まで捕集され、臭いや塵埃のない浄化された空気となって通気口２３からファン２２の中心に吸い込まれる。
【００３１】
ファン２２の中心に吸い込まれた空気は、ファンブレードの間を通りファン２２の外周からファンケーシング２５の中に吐出される。ファンケーシング２５の中に吐出された空気は案内壁２４の内面に沿って吐出部２６へと導かれ、吹出口１６より外部である室内へ吹き出される。
【００３２】
このような空気清浄機１は、室内の適所で床置きにされるわけであるが、フィルタユニット３０のメンテナンスのために、意図的に、前パネル５０を持ち上げつつ、前パネル５０の下部を手前に引いて前パネル５０を前傾させるように回転させない限り、突片５１と突片受け４２との係合が外れない。そうすると、人が足等を前パネル５０にぶつけてしまった場合では、前パネル５０に対して持上げ及び回転の作用は先ずは起こらないため、本体１０から前パネル５０が不用意に脱落することはない。
【００３３】
次に、本発明の第２実施形態について、図９を参照しながら説明する。図９は第２実施形態の空気調節機である空気清浄機における前パネルの取付け個所の一部を拡大して示す断面図であって、前パネルの取付け手順も示している。
【００３４】
本実施形態では、第１実施形態と同様、前パネル５０の裏面には、その上端近傍から左右に一対の突片５１が突出している。但し、ここでの突片５１は、前シェル１１の正面に向けて突出する基部５２と、この基部５２の先端から上方に伸び出す第１の伸出部５３と、更に、基部５２の先端から下方に伸び出す第２の伸出部５４とより構成される。つまり、本実施形態での突片５１は、その先端部分が上下に伸び出したＴ字形状をしている。第２の伸出部５４は、その外面側（前シェル１１に向く側）の先端角部が弧状に大きく面取りされている。第１の伸出部５３は、第１実施形態と同じく、その外面側の先端角部が弧状に面取りされている。
【００３５】
一方、前シェル１１の正面には、第１実施形態と同様、突片５１に対応する位置で左右に一対の突片受け４２が突出している。但し、ここでの突片受け４２では、第１の壁部４３に形成された穴部４４の下面よりも一段下がった位置に、第２の壁部４５が配置されている。
【００３６】
また、第１実施形態と同様に、前パネル５０の裏面には、その下部の両側から左右に一対の弾性片５５が突出し、前シェル１１の正面には、弾性片５５に対応する位置で左右に一対の爪受け４６が突出している。
【００３７】
このような構成のもと、図９（ａ）に示すように、前パネル５０を前シェル１１（本体１０）に向けて前傾させた状態で、突片受け４２の第１の壁部４３に形成された穴部４４に、突片５１の第１の伸出部５３の先端部分を挿入する。そのまま、図９（ｂ）に示すように、前パネル５０の前傾姿勢を戻すように前パネル５０を押し上げながら回転させて、突片受け４２の穴部４４に突片５１を第１の伸出部５３より挿入していく。図９（ｃ）に示すように、前パネル５０が前シェル１１の正面と対向する状態まで姿勢を戻されると、突片受け４２の穴部４４に突片５１の基部５２が挿通しつつ、突片受け４２内に突片５１の第１の伸出部５３及び第２の伸出部５４が完全に収容された格好になる。
【００３８】
そして、前パネル５０への押上げ力を解けば、図９（ｄ）に示すように、前パネル５０は、その自重によって、突片５１の第１の伸出部５３の内面が突片受け４２の第１の壁部４３に接触して支えられるとともに、第２の伸出部５４の下面が突片受け４２の第２の壁部４５に接触して支えられた状態で係合する。ここでは、突片５１の第２の伸出部５４の内面（前シェル１１に向く面とは反対の面）が突片受け４２の第１の壁部４３に対向する格好になる。その後、前パネル５０の下部を本体１０に向けて押し付ければ、弾性片５５の爪部５６が爪受け４６の穴部４７に係合する。こうして、前パネル５０が本体１０に固定され、前パネル５０の取付けが完了する。
【００３９】
本体１０から前パネル５０を取り外す際には、第１実施形態と同様に、上記の取付け動作とは逆の動作で行う。
【００４０】
このような前パネル５０の着脱に際しても、前パネル５０を回転させるわけであるが、突片５１の第２の伸出部５４における外面側の先端角部が弧状に大きく面取りされているため、その回転の際、突片受け４２の穴部４４の下面に沿って円滑に回転できる。また、第１実施形態と同じく、突片５１の第１の伸出部５３における外面側の先端角部が弧状に面取りされているため、その回転の際、前シェル１１の正面に沿って円滑に回転できる。
【００４１】
このような空気清浄機１においても、第１実施形態と同様、意図的に、前パネル５０を持ち上げつつ、前パネル５０の下部を手前に引いて前パネル５０を前傾させるように回転させない限り、突片５１と突片受け４２との係合が外れないため、本体１０から前パネル５０が不用意に脱落することはない。しかも、本実施形態の場合、前パネル５０を取り付けた状態では、突片５１の第２の伸出部５４の内面が突片受け４２の第１の壁部４３に対向する格好になっているため、前パネル５０を十分に持ち上げないことには第２の伸出部５４が穴部４４まで達しない。従って、より一層前パネル５０の不用意な脱落が防止される。
【００４２】
次に、本発明の第３実施形態について、図１０を参照しながら説明する。図１０は第３実施形態の空気調節機である空気清浄機における前パネルの取付け個所の一部を拡大して示す断面図であって、前パネルの取付け手順も示している。
【００４３】
本実施形態では、第２実施形態と同じく、前パネル５０の裏面から突出する左右に一対の突片５１は、基部５２と、第１の伸出部５３と、第２の伸出部５４とより構成される。
【００４４】
一方、前シェル１１の正面には、第１、第２実施形態と同様、突片５１に対応する位置で左右に一対の突片受け４２が突出している。但し、ここでの突片受け４２は、第１、第２実施形態と同様に第１の壁部４３に穴部４４が形成されているが、下側の壁部が無い。
【００４５】
また、第１、第２実施形態と同様に、前パネル５０の裏面からは左右に一対の弾性片５５が突出し、前シェル１１の正面からは左右に一対の爪受け４６が突出している。
【００４６】
このような構成のもと、図１０（ａ）に示すように、前パネル５０を前シェル１１（本体１０）に向けて前傾させた状態で、突片受け４２の第１の壁部４３に形成された穴部４４に、突片５１の第１の伸出部５３の先端部分を挿入する。そのまま、図１０（ｂ）に示すように、前パネル５０の前傾姿勢を戻すように前パネル５０を押し上げながら回転させて、突片受け４２の穴部４４に突片５１を第１の伸出部５３より挿入していく。図１０（ｃ）に示すように、前パネル５０が前シェル１１の正面と対向する状態まで姿勢を戻されると、突片受け４２の穴部４４に突片５１の基部５２が挿通しつつ、突片受け４２内に突片５１の第１の伸出部５３及び第２の伸出部５４が完全に収容された格好になる。
【００４７】
そして、前パネル５０への押上げ力を解けば、図１０（ｄ）に示すように、前パネル５０は、その自重によって、突片５１の第１の伸出部５３の内面が突片受け４２の第１の壁部４３に接触して支えられるとともに、突片５１の基部５２の下面が突片受け４２の穴部４４の下面に接触して支えられた状態で係合する。つまり、ここでの突片受け４２の穴部４４の下面は、突片５１の基部５２の下面を支えるための第１実施形態で言う第２の壁部として機能する。ここでは、突片５１の第２の伸出部５４の内面が突片受け４２の第１の壁部４３に対向する格好になる。その後、前パネル５０の下部を本体１０に向けて押し付ければ、弾性片５５の爪部５６が爪受け４６の穴部４７に係合する。こうして、前パネル５０が本体１０に固定され、前パネル５０の取付けが完了する。
【００４８】
本体１０から前パネル５０を取り外す際には、第１、第２実施形態と同様に、上記の取付け動作とは逆の動作で行う。
【００４９】
このような空気清浄機１においても、第１、第２実施形態と同様、意図的に、前パネル５０を持ち上げつつ、前パネル５０の下部を手前に引いて前パネル５０を前傾させるように回転させない限り、突片５１と突片受け４２との係合が外れないため、本体１０から前パネル５０が不用意に脱落することはない。しかも、本実施形態の場合も、前パネル５０を十分に持ち上げないことには第２の伸出部５４が穴部４４まで達しないことから、より一層前パネル５０の不用意な脱落が防止される。
【００５０】
その他本発明は上記の各実施形態に限定されず、本発明の趣旨を逸脱しない範囲で、種々の変更が可能である。例えば、床置き方式の空気調和機にも適用できる。
【産業上の利用可能性】
【００５１】
本発明は、室内で床置きにされる空気調節機に有用である。
【図面の簡単な説明】
【００５２】
【図１】本発明の第１実施形態の空気調節機である空気清浄機についてその構成要素の一部を分解して示す正面視での斜視図である。
【図２】第１実施形態の空気清浄機の背面視での斜視図である。
【図３】第１実施形態の空気清浄機の側面図である。
【図４】第１実施形態の空気清浄機の本体を構成する前シェルの背面図である。
【図５】第１実施形態の空気清浄機で用いるフィルタ押さえ枠の斜視図である。
【図６】第１実施形態の空気清浄機における前パネルの取付け個所の一部を拡大して示す斜視図である。
【図７】第１実施形態の空気清浄機における前パネルの取付け個所の他の一部を拡大して示す斜視図である。
【図８】第１実施形態の空気清浄機における前パネルの取付け個所の一部を拡大して示す断面図である。
【図９】本発明の第２実施形態の空気調節機である空気清浄機における前パネルの取付け個所の一部を拡大して示す断面図である。
【図１０】本発明の第３実施形態の空気調節機である空気清浄機における前パネルの取付け個所の一部を拡大して示す断面図である。
【図１１】従来の空気清浄機についてその構成要素の一部を分解して示す正面視での斜視図である。
【図１２】従来の空気清浄機における前パネルの取付け個所を拡大して示す断面図である。
【符号の説明】
【００５３】
１    空気清浄機
１０    本体
１１    前シェル
１２    後シェル
１３    フィルタ収納部
１４    フィルタ出し入れ口
１８    空気導入口
３０    フィルタユニット
３１    脱臭フィルタ
３２    集塵フィルタ
３３    フィルタ押さえ枠
４２    突片受け
４３    第１の壁部
４４    穴部
４５    第２の壁部
４６    爪受け
４７    穴部
５０    前パネル
５１    突片
５２    基部
５３    第１の伸出部
５４    第２の伸出部
５５    弾性片
５６    爪部
【図１】
0004657979.tif 000002
【図２】
0004657979.tif 000003
【図３】
0004657979.tif 000004
【図４】
0004657979.tif 000005
【図５】
0004657979.tif 000006
【図６】
0004657979.tif 000007
【図７】
0004657979.tif 000008
【図８】
0004657979.tif 000009
【図９】
0004657979.tif 000010
【図１０】
0004657979.tif 000011
【図１１】
0004657979.tif 000012
【図１２】
0004657979.tif 000013